【手続補正書】
【提出日】平成30年12月26日(2018.12.26)
【手続補正１】
【補正対象書類名】特許請求の範囲
【補正対象項目名】全文
【補正方法】変更
【補正の内容】
【特許請求の範囲】
【請求項１】
内燃機関のピストンであって、
上部および下部を含むピストン本体を備え、前記上部は、シリンダボア内の燃焼ガスに直接晒されるように構成された上部燃焼表面を有し、前記上部燃焼表面は、上面および前記上面に凹設された燃焼ボウルを有し、前記燃焼ボウルは、床、および前記上面に向かって上方向に延在する環状の側壁を有し、前記上面と前記側壁との間に環状の燃焼ボウルリムが延在し、
前記下部は、底壁および前記底壁から垂下するピンボスの対を有し、前記ピンボスは、軸方向一直線に並んだピンボアを有し、前記底壁はオイル・インレットを有し、
前記上部は、前記上部と前記下部との間に環状の冷却空洞が形成されるように、前記下部に固定され、前記底壁は、前記冷却空洞内へ延在する前記オイル・インレットと共に、前記冷却空洞の一部を形成し、前記側壁は、前記冷却空洞の一部の境界を定める半径方向外向きに向いた面を有し、前記半径方向外向きに向いた面には、前記燃焼ボウルリムに隣接する環状の凹んだくぼみが形成されており、
前記ピストンは、さらに、
前記環状くぼみに配置された冷却リングを備え、前記冷却リングは、その内部に、前記燃焼ボウルリムに隣接するように冷却液を通すように構成されている、ピストン。
【請求項２】
前記冷却リングは、前記環状くぼみへのばね付勢された嵌め込みにぱちんと留められている、請求項１に記載のピストン。
【請求項３】
前記冷却リングは、ばね付勢によって互いに離れた、向かい合った自由端を有する、請求項２に記載のピストン。
【請求項４】
前記冷却リングは、横断面を見たときに円周方向に不連続な壁を有する、請求項３に記載のピストン。
【請求項５】
前記壁は、横断面を見たときに略ｃ字形である、請求項４に記載のピストン。
【請求項６】
前記壁は、環状の隙間によって互いに離れた弧状の自由端を有し、前記環状の隙間は前記環状くぼみに面し、前記弧状の自由端は前記環状くぼみに当接する、請求項４に記載のピストン。
【請求項７】
前記向かい合った自由端は、オイルが前記冷却リングから外に向かって流れられるように開口している、請求項６に記載のピストン。
【請求項８】
前記壁は、前記底壁の前記オイル・インレットと軸方向一直線に並んだオイル吸い込み穴を有する、請求項４に記載のピストン。
【請求項９】
前記冷却リングは、横断面を見たときに円周方向に連続的な壁を有する、請求項３に記載のピストン。
【請求項１０】
前記壁は、前記底壁の前記オイル・インレットと軸方向一直線に並んだオイル吸い込み穴を有する、請求項９に記載のピストン。
【請求項１１】
前記向かい合った自由端は、オイルが前記冷却リングから外に向かって流れられるように開口している、請求項１０に記載のピストン。
【請求項１２】
前記冷却リングは、内部に冷却媒体を封止している、請求項９に記載のピストン。
【請求項１３】
前記上部は、半径方向に互いに離れた環状の上部外側カラーと環状の上部内側カラーとを有し、前記下部は、半径方向に互いに離れた環状の外側下部カラーと環状の内側下部カラーとを有し、前記環状の上部外側カラーは前記環状の外側下部カラーに固定され、前記環状の上部内側カラーは前記環状の下部内側カラーに固定されている、請求項２に記載のピストン。
【請求項１４】
内燃機関のピストンを構成する方法であって、
シリンダボア内の燃焼ガスに直接晒されるように構成された上部燃焼表面を有する上部を形成するステップを備え、前記上部の形成ステップは、上面および前記上面に凹設された燃焼ボウルを有する前記上部燃焼表面を形成するステップと、床、および前記上面に向かって上方向に延在する環状の側壁を有する前記燃焼ボウルを形成するステップと、前記上面と前記側壁との間に延在する環状の燃焼ボウルリムを形成するステップと、冷却空洞の上部分を規定するために半径方向に互いに離れた環状の上部外側カラーと環状の上部内側カラーとを有する前記上部を形成するステップと、前記冷却空洞の前記上部分に、前記燃焼ボウルリムに隣接する環状くぼみを形成するステップとを含み、
前記方法は、さらに、
底壁および前記底壁から垂下するピンボスの対を有する下部を形成するステップを含み、前記下部の形成ステップは、軸方向一直線に並んだピンボアを有する前記ピンボスを形成するステップと、オイル・インレットを有する前記底壁を形成するステップとを含み、
前記方法は、さらに、
前記環状くぼみに冷却リングを配置するステップと、
前記上部と前記下部との間に前記環状の冷却空洞を形成するように前記下部に前記上部を固定するステップとを含む、方法。
【請求項１５】
さらに、前記環状くぼみへのばね付勢された嵌め込みに前記冷却リングをぱちんと留めるステップを含む、請求項１４に記載の方法。
【請求項１６】
さらに、前記ばね付勢された嵌め込みをもたらすために、前記冷却リングの向かい合った自由端を互いに離れるように開くステップを含む、請求項１５に記載の方法。
【請求項１７】
さらに、横断面を見たときに円周方向に不連続な壁を有する前記冷却リングを形成するステップを含む、請求項１６に記載の方法。
【請求項１８】
さらに、環状の隙間によって互いに離れている弧状の自由端を有する前記壁を形成するステップと、前記弧状の自由端が前記環状くぼみに当接した状態で、前記環状くぼみに面
するように前記環状の隙間を向けるステップとを含む、請求項１７に記載の方法。
【請求項１９】
さらに、オイルが前記冷却リングから外に向かって流れられるように開口した前記向かい合った自由端を形成するステップを含む、請求項１８に記載の方法。
【請求項２０】
さらに、前記壁にオイル吸い込み穴を形成するステップと、前記オイル吸い込み穴を前記底壁の前記オイル・インレットと軸方向一直線に並べるステップとを含む、請求項１７に記載の方法。
【請求項２１】
さらに、横断面を見たときに円周方向に連続的な壁を有する前記冷却リングを形成するステップを含む、請求項１６に記載の方法。
【請求項２２】
さらに、前記壁にオイル吸い込み穴を形成するステップと、前記オイル吸い込み穴を前記底壁の前記オイル・インレットと軸方向一直線に並べるステップとを含む、請求項２１に記載の方法。
【請求項２３】
さらに、オイルが前記冷却リングから外に向かって流れられるように開口した前記向かい合った自由端を形成するステップを含む、請求項２２に記載の方法。
【請求項２４】
さらに、冷却媒体を前記冷却リング内に封止するステップを含む、請求項２１に記載の方法。
【請求項２５】
さらに、半径方向に互いに離れた環状の外側下部カラーと環状の内側下部カラーとを有する前記下部を形成するステップと、前記環状の外側下部カラーに前記環状の上部外側カラーを溶接するステップと、前記環状の下部内側カラーに前記環状の上部内側カラーを溶接するステップとを含む、請求項１４に記載の方法。
【手続補正２】
【補正対象書類名】明細書
【補正対象項目名】００２６
【補正方法】変更
【補正の内容】
【００２６】
上部１６の燃焼ボウル３２は、燃焼ボウル床３４を囲んで燃焼ボウル床３４から上方向に延在する環状の側壁４２を含む。側壁４２は、谷部３８に隣接しており、谷部３８から上面３０に上方向に延在するように位置し、環状の燃焼ボウルリム２６は、側壁４２を上面３０に遷移させる。燃焼ボウルリム２６は、側壁４２から半径方向内向きに延在するように形成でき、必要であれば、側壁４２内に下部をくり抜いた環状凹入の空隙を設けることができる。図４に最もよく示すように、燃焼ボウル３２の側壁４２の反対側の、半径方向外向きに向いた面は、冷却空洞２２の内側面４４の一部を形成する。内側面４４は、燃焼ボウルリム２６に隣接する燃焼ボウル３２を囲む環状凹部またはくぼみ４６を有し、冷却空洞２２の一番上の内側面４８のすぐ隣に示されている。環状くぼみ４６は、冷却リング２４をばね付勢でぱちんと嵌めるように構成されており、冷却リング２４をぱちんと嵌めるのを助長する環状の下部リップ４７を有する。
【手続補正３】
【補正対象書類名】明細書
【補正対象項目名】００２７
【補正方法】変更
【補正の内容】
【００２７】
ピストン１０の上部１６は、さらに、谷部３８に隣接する燃焼ボウル３２の床３４の下面から上部内側の接合面５０まで垂下する少なくとも一つの上部内側の環状接合リブまたはカラー４９を含む。また、上部１６は、上面３０から上部外側の接合面５４まで垂下する上部外側の環状接合リブまたはカラー５２も含み、上部外側の環状カラー５２と上部内側の環状カラー４９とは、冷却空洞２２の環状の上部分５６によって、半径方向に互いに離れている。
【手続補正４】
【補正対象書類名】明細書
【補正対象項目名】００２８
【補正方法】変更
【補正の内容】
【００２８】
ピストン１０の下部１８は、冷却空洞２２の床を形成する環状の床（以下、底壁５８と称する）を含む。ピストン１０の上部１６と接合されると、底壁５８は、底壁５８から下部内側の接合面６１まで上方向に延在する下部内側の環状接合リブまたはカラー６０によって、側壁４２の半径方向内向きの燃焼ボウル３２の床３４と一体になる。また、下部１８は、底壁５８から下部外側の接合面６５まで上方向に延在する下部外側の環状接合リブまたはカラー６４も含み、下部外側の環状カラー６４と下部内側の環状カラー６０とは、冷却空洞２２の環状の下側部分６６によって、半径方向に互いに離れている。
【手続補正５】
【補正対象書類名】明細書
【補正対象項目名】００２９
【補正方法】変更
【補正の内容】
【００２９】
下部１８の下部外側の環状カラー６４と上部１６の上部外側の環状カラー５２とによって、上面３０から下方向に延在する環状の外側壁６８が形成される。外側壁６８に環状のリングベルト領域７０が形成されており、複数の環状のリング溝７２、７３、７４が、ピストンリング（図示せず）を嵌めるためのリングベルト領域７０内に形成されている。例示的な実施の形態において、リング溝７２、７３、７４は、コンプレッションリング（図示せず）を嵌めるための、上面３０に隣接する一番上のリング溝７２と、油かき中間リング（図示せず）を嵌めるための、一番上のリング溝７２の下に配置された中間リング溝７３と、一番下のオイルリング（図示せず）を嵌めるための、中間リング溝７３の下に配置された一番下のリング溝７４とを含む。一番下のリング溝７４の下には、軽量化のため、およびオイルを収集してピストン１０の下部１８に迂回させて油受に戻すためのオイル排出溝７５が形成されている。本発明の例示的な実施の形態は、３つのリング溝７２、７３、７４を含むが、本発明のその他の実施の形態は、任意の数のリング溝を含んでもよい。